(57)【特許請求の範囲】
【請求項１】
シャフトの先端にヘッド、基端にグリップを設けた互いにロフト角の異なる複数本のウッドと、互いにロフト角を異にする複数本のアイアン、ピッチングウェッジ、サンドウェッジおよびパターを有し、パターを除く少なくとも１番ウッド、４番ウッド、５ないし９番アイアン、ピッチングウェッジおよびサンドウェッジの各クラブ長寸法を、水平面に水平に寝かせたゴルフクラブの、ソール面に６０°の平面を当て、該６０°面と水平面との交点からグリップエンド端までの距離を、何れも４５．７２ｃｍ（１８インチ）以上１２１．９２ｃｍ（４８インチ）未満とする、全て同一長さ寸法に設定してなるものとしたことを特徴とするゴルフクラブ群。
【請求項２】
有底筒型であって上端に開口を有するバッグ本体を有し、該開口から底部付近まで、複数本のゴルフクラブを、１本毎、個別に収容可能とする複数の収納区画を形成するよう間仕切りを設け、それら間仕切りの上縁付近には、収納するゴルフクラブの名称や略称などを明確に表示、色分け、記号などの識別表示部を設けたものにすると共に、各クラブ長寸法と一般型のクラブ長寸法との寸法差分を補って、収納状態における外観が、一般的なゴルフクラブセットのそれと同様のものとなるよう、各収納区画の底部には、ウッドおよびアイアンの各ゴルフクラブの収納外観上の長さ寸法分を個々の嵩上げ上下寸法に設定した底上げ部を設けてなるものとした、請求項１記載のゴルフクラブ群収容用とするゴルフバッグ。
【請求項３】
底上げ部が、ゴルフクラブグリップエンドを受ける適所、または底上げ部全体を緩衝素材製のものとした、請求項２記載のゴルフバッグ。
【請求項４】
シャフトの先端にヘッド、基端にグリップを設けた互いにロフト角の異なる複数本のウッドと、互いにロフト角を異にする複数本のアイアン、ピッチングウェッジ、サンドウェッジおよびパターを有し、パターを除く少なくとも１番ウッド、４番ウッド、５ないし９番アイアン、ピッチングウェッジおよびサンドウェッジの各クラブ長寸法を、水平面に水平に寝かせたゴルフクラブの、ソール面に６０°の平面を当て、該６０°面と水平面との交点からグリップエンド端までの距離を、何れも４５．７２ｃｍ（１８インチ）以上１２１．９２ｃｍ（４８インチ）未満とする、全て同一長さ寸法に設定してなるゴルフクラブ群を、有底筒型であって上端に開口を有するバッグ本体を有し、該開口から底部付近まで、複数本のゴルフクラブを、１本毎、個別に収容可能とする複数の収納区画を形成するよう間仕切りを設け、それら間仕切りの上縁付近には、収納するゴルフクラブの名称や略称などを明確に表示、色分け、記号などの識別表示部を設けたものにすると共に、各クラブ長寸法と一般型のクラブ長寸法との寸法差分を補って、収納状態における外観が、一般的なゴルフクラブセットのそれと同様のものとなるよう、各収納区画の底部には、ウッドおよびアイアンの各ゴルフクラブの収納外観上の長さ寸法分を個々の嵩上げ上下寸法に設定した底上げ部を設けてなるゴルフバッグに収納するよう組み合わせてなるものとした、請求項２または３何れか一記載のゴルフバッグに、請求項１記載のゴルフクラブ群を組み合わせてなるものとしたゴルフクラブセット。                                                        
【発明の詳細な説明】
【技術分野】
【０００１】
この発明は、ゴルフクラブに関連するものであり、特に、ウッドおよびアイアンを含むゴルフクラブ群、ゴルフクラブ群を収納するゴルフバッグまたはキャディバッグ、および、それらを組み合わせてなるゴルフクラブセットなどを製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                      
【背景技術】
【０００２】
（着目点）
ゴルフクラブと言えば、一般に６ないし１４本を１セットとすることが多く、その代表的な組み合せでは、ウッドの１番、２番、３番、アイアンの３ないし９番、ピッチングウェッジ、サンドウェッジ、およびパターの１３本とすることになるが、ゴルフ初心者の場合には、３番ウッドや３，４番ドライバーは、特にシャフトが長く、ロフトが小さいためにボールが上がり難く、正しいスイングが身に付くまではそれらを使って正確に打つのが非常に難しく、ゴルフを始めたばかりの頃は、ウッドの１番、４番、アイアンの５ないし９番、ピッチングウェッジ、サンドウェッジ、およびパターの１０本を先ず揃え、上達するのに合わせて不足するクラブを、自分の好みに合わせて加えて行くという揃え方をすることが多いと言える。
【０００３】
しかしながら、１番、４番ウッドや５ないし９番アイアン、ピッチングウェッジ、サンドウェッジ、およびパターの夫々も、シャフトの長さが互いに異なっており、ロフト角の違いを含め、初心者にとっては、各クラブに適したスイング速度やボールの上がり具合などをよく理解し、コース状況に応じて理想的なスイングができるようになるまでには、相当長期間の練習を要することとなる。
【０００４】
（従来の技術）
こうした状況を反映し、その打開策となるような提案もこれまでに散見されない訳ではない。
例えば、下記の特許文献１（１）に提案されているものに代表されるように、クラブの一端にクラブヘッドを有し、他端にグリップを備え、ロングアイアンクラブからショートアイアンクラブまで複数本から成るゴルフクラブセットにおいて、前記クラブ長さの並びを、４番手と５番手の間、または５番手と６番手の間を境にロングアイアン側とショートアイアン側とに２分して非連続に設定し、前記ロングアイアン側のクラブ長さをショートアイアン側のクラブ長さの並びに比較して長く設定し、前記ロングアイアン側の全て、または一部のクラブ長さを同一長さに設定して成るゴルフクラブセットや、同特許文献１（２）に見られるような、ゴルフ用の１番ないし９番のアイアンクラブセットの中の３本以上のアイアンクラブについて、シャフトを同一長さとし、ライ角度を同一角度にするとともに、上記した各アイアンクラブの重心点を７番のアイアンクラブを基準として夫々所定量ずらしてバランス調整して形成したゴルフ用アイアンクラブなどが散見される。
【０００５】
しかし、前者特許文献１（１）および特許文献１（２）に示されるようなゴルフクラブ群は、ゴルフクラブセット内のグループ化された複数本同士のシャフト長を一定にしたものであり、初心者にとって長いシャフトのクラブは正確に打ち難いという欠点を解消することができるものとなるが、同一ゴルフクラブセット内にある、異なる長さのゴルフクラブを使用する場合には、シャフト長に応じてスイングを変えなければならず、初心者にとって、こうした細かな微調整を行うのが非常に難しく、これら提案のものによるにしても、その上達には、やはり長期間の練習を要することとなってしまう。                                            
【特許文献１】（１）実開平７−５６５８号公報    （２）実公平６−４７４７６号公報
【発明の概要】
【発明が解決しようとする課題】
【０００６】
（問題意識）
上述したとおり、従前までに提案のある各種ゴルフクラブセットやゴルフクラブ群などは、何れもゴルフクラブセット内のグループ化された複数本同士のシャフト長を一定にしたものであり、同ゴルフクラブセット内のグループ化された以外のゴルフクラブとの長さの違いは残り、こうした違いに対応できるまで上達していない初心者にとっては、スイングに悩む要因となってしまうという欠点を残すものであり、また、シャフト長を一定とした複数本のゴルフクラブは、ゴルフバッグまたはキャディバッグに収納した場合に、露出するヘッドの高さが一般のものと著しく異なり、外観の不自然さが強調されてしまうという不都合も生じさせてしまうことから、こうした使い辛さを解消し、何れのゴルフクラブも同じスイングで正確に打つことができ、しかもゴルフバッグやキャディバッグに収納した場合に、他の一般的なゴルフクラブセットと同じ外観を呈するようにするための構成につき、更なる改善の必要性を痛感するに至ったものである。
【０００７】
（発明の目的）
そこで、この発明は、パターを除く全てのゴルフクラブを同じスイングで打つことができ、しかも、ゴルフバッグやキャディバッグに収納した外観を、一般的なゴルフクラブセットと何等変わらない自然なものとすることができる新たなゴルフクラブ技術の開発はできないものかとの判断から、逸速くその開発、研究に着手し、長期に渡る試行錯誤と幾多の試作、実験とを繰り返してきた結果、今回、遂に新規な構造のゴルフクラブ群と、それ用の新規な構造のゴルフバッグ、および、それらゴルフバッグにゴルフクラブ群を組み合わせてなる新規な構造のゴルフクラブセットを実現化することに成功したものであり、以下では、図面に示してあるこの発明を代表する実施例と共に、その構成を詳述することとする。                                                                              
【課題を解決するための手段】
【０００８】
（発明の構成）
図面に示すこの発明を代表する実施例からも明確に理解されるように、この発明のゴルフクラブ群は、基本的に次のような構成から成り立っている。
即ち、シャフトの先端にヘッド、基端にグリップを設けた少なくとも１本のウッド、互いにロフト角の異なる複数本のアイアンおよびパターを有し、パターを除くウッドおよびアイアンの全てのクラブ長寸法を同一に設定してなるものとした構成を要旨とするゴルフクラブ群である。
【０００９】
この基本的な構成からなるゴルフクラブ群は、より具体的なものとして示すと、シャフトの先端にヘッド、基端にグリップを設けた互いにロフト角の異なる複数本のウッド、互いにロフト角の異なる複数本のアイアン、ピッチングウェッジ、サンドウェッジおよびパターを有しており、パターを除く少なくとも１番ウッド、４番ウッド、５ないし９番アイアン、ピッチングウェッジおよびサンドウェッジの各クラブ長寸法を同一に設定してなるものとした構成からなるゴルフクラブ群となる。
【００１０】
その表現を変えて示すならば、シャフトの先端にヘッド、基端にグリップを設けた互いにロフト角の異なる複数本のウッド、互いにロフト角の異なる複数本のアイアン、ピッチングウェッジ、サンドウェッジおよびパターを有し、パターを除く少なくとも１番ウッド、４番ウッド、５ないし９番アイアン、ピッチングウェッジおよびサンドウェッジの各クラブ長寸法を、５ないし９番アイアン中の何れか１つの長さに統一するよう、同一に設定してなるものとした構成からなるゴルフクラブ群となる。
【００１１】
（関連する発明１）
上記したゴルフクラブ群に関連し、この発明には、それを収納するゴルフバッグも包含している。
即ち、有底筒型であって上端に開口を有するバッグ本体を有し、該開口から底部付近まで、複数本のゴルフクラブを、少なくともウッドおよびアイアンに、望ましくは１本毎、個別に収容可能とする複数の収納区画を形成するよう間仕切りを設け、各収納区画の底部には、ウッドおよびアイアンの各ゴルフクラブの、収納外観上の長さ寸法分を補うよう、個々の嵩上げ上下寸法に設定した底上げ部を設けてなるものとした構成を要旨とするゴルフバッグである。
【００１２】
（関連する発明２）
上記したゴルフクラブ群およびゴルフバッグに関連し、この発明には、それらを組み合わせたゴルフクラブセットも包含している。
即ち、シャフトの先端にヘッド、基端にグリップを設けた少なくとも１本のウッド、互いにロフト角の異なる複数本のアイアンおよびパターを有し、パターを除くウッドおよびアイアンの全てのクラブ長寸法を同一に設定してなるゴルフクラブ群を、有底筒型であって上端に開口を有するバッグ本体を有し、該開口から底部付近まで、複数本のゴルフクラブを、少なくともウッドおよびアイアンに、望ましくは１本毎、個別に、収容可能とする複数の収納区画を形成するよう間仕切りを設け、各収納区画の底部には、ウッドおよびアイアンの各ゴルフクラブの、収納外観上の長さ寸法分を補うよう、個々の嵩上げ上下寸法に設定した底上げ部を設けてなるゴルフバッグに収納するよう組み合わせてなるものとした、この発明の基本をなすゴルフクラブ群を、この発明のゴルフバッグに組み合わせてなるゴルフクラブセットである。                                                                        
【発明の効果】
【００１３】
以上のとおり、この発明のゴルフクラブ群によれば、従前までのものとは違い、上記したとおりの固有の特徴ある構成から、パターを除くウッドおよびアイアンの全てのゴルフクラブを同じスィングで振ることができるから、１本のゴルフクラブでスィング練習するだけで、ウッドおよびアイアンの全てを上手に打てるようにすることができ、特に初心者は、クラブ長寸法の異なるゴルフクラブを使用した場合よりも、ミスショットを大幅に低減し、スイングを格段に安定させることができるものとなる。
【００１４】
パターを除く少なくとも１番ウッド、４番ウッド、５ないし９番アイアン、ピッチングウェッジおよびサンドウェッジの各クラブ長寸法を同一に設定してなるゴルフクラブ群は、初心者にとって必要にして充分なゴルフクラブを揃えることができ、しかも上達度合いに応じて３番ウッドや５番ウッド、３番および４番アイアンを追加するなどして、より充実させたものとすることができ、一段と経済的に楽しくゴルフに親しむことができるようになり、さらにスムーズにスイングを上達することができるものとなる。
【００１５】
加えて、パターを除く少なくとも１番ウッド、４番ウッド、５ないし９番アイアン、ピッチングウェッジおよびサンドウェッジの各クラブ長寸法を、５ないし９番アイアン中の何れか１つの長さに統一するよう同一に設定してなるものとすることにより、５ないし９番アイアン中の何れか、利用者が一番好む１つの長さに統一することができるから、パターを除く全てのゴルフクラブから苦手なものを無くし、全てが快適にスイングできるものとすることができ、より安定したスイングを実現化することができるものとなる。
【００１６】
クラブ長寸法が、水平面に水平に寝かせたゴルフクラブの、ソール面に６０°の平面を当て、該６０°面と水平面との交点からグリップエンド端までの距離とし、４５．７２ｃｍ（１８インチ）以上１２１．９２ｃｍ（４８インチ）未満、望ましくは、９３．９８ｃｍないし９９．０６ｃｍ（３７ないし３９インチ）に設定してなるものは、幅広い体形の人々によく適合し、誰でも円滑にスイングすることができるものとなる。
【００１７】
この発明のゴルフバッグによれば、この発明の基本をなすゴルフクラブ群の、パターを除く複数本のゴルフクラブが、同一のクラブ長寸法に設定してあるから、従来型のゴルフバッグに収納した場合、殆どのクラブヘッドが同じ高さに揃って露出してしまうという欠点を生じてしまうこととなるが、こうした欠点を解消し、同じ長さのウッドやアイアンであっても、夫々のゴルフクラブに相応しい高さとするよう、各収納区画の底部を、各ゴルフクラブに応じた嵩上げ上下寸法に設定してあるから、収納状態における外観を、一般的なゴルフクラブセットと同様のものとすることができて目立つこと無く、これまで普通に採用されてきているゴルフセットを用いてるのと同様に自然にゴルフをプレーすることができる。
【００１８】
加えて、収納区画が、間仕切りによって有底筒状をなし、個別に離脱および組合せ収容可能な複数個の区画筒ユニットからなるものとしたゴルフバッグは、ゴルフバッグ内の各区画筒ユニットの配置を自由に変えることができ、好みの配置・配列にてゴルフクラブ群を自由且つ整然と収納することができる上、一部の区画筒ユニットが老朽化したり破損してしまったりした場合には、その区画筒ユニットのみを新しいものに交換することができるから、一層経済的な利用を実現化することができるものとなり、さらにまた、底上げ部が、ゴルフクラブグリップエンドを受ける適所、または底上げ部全体を緩衝素材製のものとしてなるゴルフバッグによれば、収納時にゴルフクラブのグリップエンドに加わる衝撃を大幅に和らげ、ゴルフクラブ群およびゴルフバッグ双方の耐久寿命を格段に延命化することができる。
【００１９】
この発明のゴルフバッグに、この発明の基本をなすゴルフクラブ群を組み合わせてなるゴルフクラブセットによれば、前述の如く、ゴルフクラブ群を、外観上で違和感なく自然な形で収納することができる上、ゴルフクラブセットとして展示・販売するものとしたことにより、それらの組合せによって得られる効果を、誰でも一見して即座に理解することができ、パターを除くウッドおよびアイアンの全てのクラブ長寸法を同一に設定してなるゴルフクラブ群の外観上の懸念を払拭し、顧客の購買意欲を一段と高めることができるものになるという大きな効果を奏することになる。                                                      
【発明を実施するための最良の形態】
【００２０】
上記したとおりの構成からなるこの発明の実施に際し、その最良もしくは望ましい形態について説明を加えることにする。
ゴルフクラブは、ゴルフボールを所望の距離まで到達するよう打うつことができるという機能を有し、所定長さのシャフトの先端に、所望の打揚げ角度や打揚げ高さに応じたロフト角のウッドやアイアン、ピッチングウェッジ、サンドウェッジおよびパター、またはその他何れかのヘッド、および、同シャフトの基端に適宜太さのグリップを有し、ゴルフコースに適した形状や重さの異なる複数本を一まとめにしてゴルフクラブ群とするよう組合せ可能な上、同一ゴルフクラブ群内の互いのクラブシャフト長寸法を同一に設定可能なものとしなければならない。
【００２１】
クラブ長寸法は、ゴルフクラブ利用者の体形、使い易さや好みなどに応じて自由に設定可能とし、パターを除くウッドおよびアイアンの全てのクラブ長寸法を同一に設定してなるものとしなければならず、例えば、パターを除く少なくとも１番ウッド、４番ウッド、５ないし９番アイアン、ピッチングウェッジおよびサンドウェッジの各クラブ長寸法を、５ないし９番アイアン中の何れか１つの長さに統一するよう同一に設定してなるものとするのが望ましく、後述する実施例に示すように、水平面に水平に寝かせたゴルフクラブの、ソール面に６０°の平面を当て、該６０°面と水平面との交点からグリップエンド端までの距離とし、４５．７２ｃｍ（１８インチ）以上１２１．９２ｃｍ（４８インチ）未満、望ましくは、９３．９８ｃｍないし９９．０６ｃｍ（３７ないし３９インチ）に設定してなるものとすることができる。
【００２２】
クラブシャフトの先端に設けるヘッドは、ウッドおよびアイアンの全て中の何れかのもの用とすることができ、より具体的には、１番ないし５番ウッド、ユーティリティクラブ、１番ないし９番アイアン、ピッチングウェッジ、サンドウェッジ、パター用などとすることができ、利用者の体形に応じたライ角を有するものとすべきであり、後述する実施例にも示しているように、パターを除く少なくとも１番ウッド、４番ウッド、５ないし９番アイアン、ピッチングウェッジおよびサンドウェッジ用の何れかのものとすることが可能であり、夫々に応じた形状、重量、ロフト角を有するものとすることができ、特に初心者用のものとする場合には、適度の重量と重心を持ちフェースが大きく、スイートスポットの広いものとするのが望ましい。
クラブシャフトの基端に設けるグリップは、その寸法形状をゴルフクラブ利用者の使い易さや好みなどに応じて自由に設定可能であり、初心者は外形を太めに設定したものとするのが好ましいと言える。
【００２３】
ゴルフクラブ群は、一般的なゴルフセットを形成する複数本のゴルフクラブからなるものとし、当該ゴルフクラブ群に含むパターを除くウッドおよびアイアンの全てのクラブ長寸法を同一に設定してなるものとしなければならず、例えば、互いにロフト角の異なる複数本のウッド、互いにロフト角の異なる複数本のアイアン、ピッチングウェッジ、サンドウェッジおよびパターを有し、パターを除く少なくとも１番ウッド、４番ウッド、５ないし９番アイアン、ピッチングウェッジおよびサンドウェッジの各クラブ長寸法を同一に設定してなるものとすることができ、さらに、各クラブ長寸法を、５ないし９番アイアン中の何れか１つの長さに統一するよう、同一に設定してなるものとするのが望ましく、より具体的には、クラブ長寸法が、水平面に水平に寝かせたゴルフクラブの、ソール面に６０°の平面を当て、該６０°面と水平面との交点からグリップエンド端までの距離とし、４５．７２ｃｍ（１８インチ）以上１２１．９２ｃｍ（４８インチ）未満、望ましくは、９３．９８ｃｍないし９９．０６ｃｍ（３７ないし３９インチ）に設定してなるものとするのが好都合である。
【００２４】
ゴルフバッグは、この発明のゴルフクラブ群を一まとめに収納・運搬可能とするものであって、パターを除くウッドおよびアイアンの全てのクラブ長寸法を同一に設定したゴルフクラブ群が、従来品と略同様の外観を呈するよう収納可能とする機能を担い、有底筒型であって上端に開口を有するバッグ本体を有し、該開口から底部付近まで、複数本のゴルフクラブを、少なくともウッドおよびアイアンに、望ましくは１本毎、個別に収容可能とする複数の収納区画を形成するよう間仕切りを設け、各収納区画の底部には、ウッドおよびアイアンの各ゴルフクラブの、収納外観上の長さ寸法分を補うよう、個々の嵩上げ上下寸法に設定した底上げ部を設けてなるものとしなければならない。
【００２５】
ゴルフバッグ・バッグ本体は、ゴルフバッグやキャディバッグの本体部分となり、この発明のゴルフクラブ群を一まとめに収納可能とする機能を担い、有底筒型であって上端に開口を有するものとしなければならず、開口から底部付近まで、複数本のゴルフクラブを、少なくともウッドおよびアイアンに、望ましくは１本毎、個別に、収容可能とする複数の収納区画を形成するよう間仕切りを設け、各収納区画の底部には、ウッドおよびアイアンの各ゴルフクラブの、収納外観上の長さ寸法分を補うよう、個々の嵩上げ上下寸法に設定した底上げ部を設けてなるものとすべきであり、収納区画は、例えばアイアンを数本毎に分割して収納可能に区画したものとすることができる外、後述する実施例にも示してあるとおり、１番ウッド、４番ウッド、５ないし９番アイアン、ピッチングウェッジ、サンドウェッジおよびパターの各クラブを１本毎に分割して収納可能とし、各クラブ長寸法と一般型のクラブ長寸法とを寸法差分を補うよう、個々の嵩上げ上下寸法に設定した底上げ部を設けてなるものとするのが望ましく、各収納区画を形成するよう間仕切りの上縁付近に、収納するゴルフクラブの名称や略称などを明確に表示、色分け、記号などの表示を設けたものとすることができる。
【００２６】
収納区画は、複数本のゴルフクラブを、少なくともウッドおよびアイアンに区画・収納可能とする機能を有し、１本毎、個別に、収容可能なものとするのが望ましく、例えばアイアンを数本毎に分割して収納可能に区画したものとすることができ、間仕切り、底上げ部を伴って一体化した有底小径筒状の独立部品となし、バッグ本体内の任意位置に自由に配置・収納するよう組合せ、および、分離・離脱可能なものとし、ウッドやアイアンなどのゴルフクラブを利用者の好みの配置に収納可能なものとすることができる外、間仕切りの上縁付近に、表示した名称や略称、色分け、記号などを表示し、収納対象として対応するゴルフクラブのヘッド、および、ヘッド付近のシャフトの適所などの少なくとも何れか一方にも表示し、取り出したゴルフクラブを、誤ることなく、簡単且つ正確に元の収納区画に納めることができるものとすることが可能である。
そして、その収納区画の間仕切りは、各収納区画を確実に分離可能とし、収納したゴルフクラブが、隣接する収納区画に不用意に移動したりしないよう確実に分離可能とする機能を担い、板状、布状、メッシュ膜状、スポンジ壁状、筒状など、様々な形状のものとすることができる。
【００２７】
各収納区画の底上げ部は、各収納区画に収納するゴルフクラブの、外観上不足分の長さ寸法を補う高さに底上げする機能を担い、アイアンのように僅かずつ長さが異なるものは、互いに階段状の段差をもって収納可能なものとし、また、ウッドのように、他のクラブより格段に長いものは、それに相応しい長さに見えるよう、より高く設定したものとすべきであり、ゴルフクラブを勢いよく収納した場合にも破損せず、衝撃を和らげることができ、ゴルフクラブを保護可能とする緩衝機能を有するものとなるようにするのが望ましく、例えば、収納区画が、間仕切りによって有底筒状をなし、個別に離脱および組合せ収容可能な区画筒ユニットからなり、各区画筒ユニットの少なくとも底上げ部の適所、または底上げ部全体を緩衝素材製のものとすることが可能である外、各区画筒ユニットの上部に、各ゴルフクラブのヘッド部分までを覆う頭巾状の保護用フードを一体化、または、着脱自在に一体化したものとしたり、さらにまた、各区画筒ユニットが、各ゴルフクラブの１本ずつを保護するようクラブ全体を収納可能な収納ケースとしてなるものとしたりすることが可能である。
【００２８】
ゴルフクラブセットは、この発明のゴルフクラブ群を、この発明のゴルフバッグに組み合わせてなるものである。
以下では、図面に示すこの発明を代表する実施例と共に、その構造について詳述することとする。                                                                                                            
【図面の簡単な説明】
【００２９】
図面は、この発明のゴルフクラブ群、ゴルフバッグおよびそれらを組み合わせたゴルフクラブセットの技術的思想を具現化した代表的な幾つかの実施例を示すものである。
【図１】ゴルフクラブ群１を示す正面図である。
【図２】クラブ２長寸法Ｌを示す正面図である。
【図３】ゴルフクラブ群１とゴルフバッグ３との寸法関係を一部断面化して示す正面図である。
【図４】ゴルフクラブセット６を一部断面化して示す正面図である。
【図５】区画筒ユニット５を有するゴルフバッグ３を概念的に断面化して示す正面図である。
【図６】区画筒ユニット５を有するゴルフバッグ３を示す平面図である。
【実施例１】
【００３０】
図１ないし図６に示す事例は、ウッドＷ１，Ｗ４、アイアンＦ５，〜Ｆ９を有し、パターＰｔを除く全てのクラブ長寸法Ｌを同一に設定してなるゴルフクラブ群１を、有底筒型バッグ本体３０を有し、開口３１から底部３２付近まで、複数本のゴルフクラブ２（Ｗ１，Ｗ４，Ｆ５，〜Ｆ９）を個別収容する収納区画４，４，……を形成し、個々の嵩上げ上下寸法Ｈ１（Ｈ４，Ｈ５，〜Ｈ９、ＨＰ）に設定した底上げ部４１を設けてなるゴルフバッグ３に収納するよう組み合わせてなるものとした、この発明のゴルフクラブセット６における代表的な一実施例を示すものである。
以下では、この発明のゴルフクラブ群１、ゴルフバッグ３およびそれらを組み合わせてなるゴルフクラブセット６の、各一例ずつの構造について、図面を参照しながら示して行くこととする。
【００３１】
それら各図からも明確に把握できるとおり、この発明のゴルフクラブセット６は、この発明の基本をなすゴルフクラブ群１を、この発明のゴルフバッグ３に組み合わせてなるものであり、該ゴルフクラブ群１は、シャフト２０の先端にヘッド２１、基端にグリップ２３を設けた互いにロフト角の異なる複数本のウッドＷ１，Ｗ４、互いにロフト角の異なる複数本のアイアンＦ５，〜Ｆ９、ピッチングウェッジＰ、サンドウェッジＳおよびパターＰｔを有し、パターＰｔを除く１番ウッドＷ１、４番ウッドＷ４、５ないし９番アイアンＦ５，〜Ｆ９、ピッチングウェッジＰおよびサンドウェッジＳの各クラブ長寸法Ｌを、一般的な５ないし９番アイアン５，〜Ｆ９、中の何れか１つの長さに統一するよう同一に設定してなるものとしてある。
【００３２】
図１および図２に示すように、該ゴルフクラブ群１のパターＰｔを除く各ゴルフクラブ２（Ｗ１，Ｗ４，Ｆ５，〜Ｆ９，Ｐ，Ｓ）の各シャフト２０長寸法Ｌは、例えば、水平面ＨＬに水平に寝かせたゴルフクラブ２（Ｗ１，Ｗ４，Ｆ５，〜Ｆ９，Ｐ，Ｓ）の、ソール面２２に６０°の平面を当て、該６０°面αと水平面ＨＬとの交点Ｃからグリップ２３エンド端までの距離Ｌとし、標準的な７番アイアンＦ７の長さを基準長さＬとするようにし、より具体的には、その統一長さＬを、９３．９８ｃｍないし９９．０６ｃｍ（３７ないし３９インチ）の範囲内にて、使用者の体形や好みに応じて適宜微調整し、設定したものとしてある。
【００３３】
図３および図４に示すように、この発明のゴルフバッグ３は、各ヘッド２１，２１，……を上方に向けたゴルフクラブ群１を、縦姿勢に束ねるよう収容可能とした有底筒型であって、その上端に、開口３１、および、開口３１より収納したパターＰのヘッド２１が上部に露出する深さＤとした底部３２を有するバッグ本体３０を設け、１番ウッドＷ１、４番ウッドＷ４、５ないし９番アイアンＦ５，〜Ｆ９、ピッチングウェッジＰおよびサンドウェッジＳおよびパターＰを、該開口３１から底部３２付近まで、１本毎、個別に、収容可能とする複数の収納区画４，４，……を形成するよう間仕切り４０，４０，……を設け、各収納区画４，４，……の底部３２には、１番ウッドＷ１、４番ウッドＷ４、５ないし９番アイアンＦ５，〜Ｆ９、ピッチングウェッジＰの各ゴルフクラブＷ１，Ｗ４，Ｆ５，〜Ｆ９，Ｐの、収納外観上の長さ寸法分ＳＬ１，ＳＬ４，ＳＬ５，〜ＳＬ９，ＳＬＰを補うよう、個々の嵩上げ上下寸法Ｈ１，Ｈ４，Ｈ５，〜Ｈ９、ＨＰに設定した底上げ部４１を設けてなるものである。
同図４中に示すように、５ないし９番アイアンＦ５，〜Ｆ９およびピッチングウェッジＰの収納対象となる底上げ部４１は、バッグ本体３０底部３２より、１．２７ｃｍないし２．５４ｃｍ（０．５ないし１インチ）ずつ略同じ高さ寸法ＣＨ分ずつ高くするよう設定したものとしてある。
【００３４】
図５および図６に示すように、該ゴルフバッグ３の、収納区画４，４，……、間仕切り４０および底上げ部４１は、各収納区画４，４，……が、間仕切り４０，４０，……によって細長い有底筒状をなし、個別に離脱および組合せ収容可能な複数個の区画筒ユニット５（５１、５４，５５，５６，５７，５８，５９，５Ｐ，５Ｓ，５Ｐｔ）からなるものとし、さらに、サンドウェッジＳおよびパターＰｔのグリップ２３，２３エンドを直接、または関節的に受けることとなる底部３２上面、および、各区画筒ユニット５（５１、５４，５５，５６，５７，５８，５９，５Ｐ，５Ｓ，５Ｐｔ）の底上げ部４１．４１．……の、各ゴルフクラブ２（Ｗ１，Ｗ４，Ｆ５，〜Ｆ９，Ｐ）グリップ２３，２３，……エンドを受ける上面か、または、底上げ部４１．４１．……全体を、軟質発泡合成樹脂などの緩衝素材製のものとすることが可能であり、また、これに置き換えて、緩衝用ゴムやスプリングなどを内蔵したものとすることが可能である。
【００３５】
さらに、各区画筒ユニット５（５１、５４，５５，５６，５７，５８，５９，５Ｐ、５Ｓ、５Ｐｔ）の底上げ部４１．４１．……の下面や、間仕切り４０，４０，……外周壁などの適所、および、それらに対峙するゴルフバッグ３の内周壁適所に、面ファスナーやスナップボタンなどの着脱機構（図示せず）を設け、組み込み状態にて仮固定可能なものとし、加えて、各区画筒ユニット５（５１、５４，５５，５６，５７，５８，５９，５Ｐ、５Ｓ、５Ｐｔ）の間仕切り４０，４０，……上端縁付近の適所に、図３および図４に示す、各嵩上げ上下寸法Ｈ１，Ｈ４，Ｈ５，〜Ｈ９、ＨＰに応じて、収納対象のゴルフクラブ２を目視確認できるよう、各ゴルフクラブ２（Ｗ１，Ｗ４，Ｆ５，〜Ｆ９，Ｐ，Ｓ，Ｐｔ）の番号や記号、色分けなどの識別表示部（図示せず）を設けたものとすることができる。
【００３６】
（実施例１の作用・効果）
以上のとおりの構成からなるこの発明の基本をなすゴルフクラブ群１は、図１および図２中に示すように、パターＰｔを除く各ゴルフクラブ２（Ｗ１，Ｗ４，Ｆ５，〜Ｆ９，Ｐ，Ｓ）の各シャフト２０長寸法Ｌを、例えば、７番アイアンＦ７の一般的に標準とされる長さに一致する基準長さＬに統一したから、利用者は７番アイアンＦ７のみを使用してスイングの練習をするだけで、パターＰｔを除く全てのゴルフクラブ２（Ｗ１，Ｗ４，Ｆ５，〜Ｆ９，Ｐ，Ｓ）を同じスイングで打つことができるものとなり、練習時間を大幅に短縮し、素早いスコアアップを実現化できるようにする。
【００３７】
加えて、同図２に示すように、水平面ＨＬに水平に寝かせたゴルフクラブ２（Ｗ１，Ｗ４，Ｆ５，〜Ｆ９，Ｐ，Ｓ）の、ソール面２２に６０°の平面を当て、該６０°面αと水平面ＨＬとの交点Ｃからグリップ２３エンド端までの距離Ｌとし、その統一長さＬは、９３．９８ｃｍないし９９．０６ｃｍ（３７ないし３９インチ）の範囲内にて、使用者の体形や好みに応じて適宜微調整し、設定したものとしてあるから、正確且つ効率的に製造することができ、ヘッド形状の異なるゴルフクラブ２であっても、同じ感覚でスイングすることができるものとなる。
【００３８】
さらに、図３ないし図６に示すように、この発明のゴルフバッグ３は、各区画筒ユニット５（５１、５４，５５，５６，５７，５８，５９，５Ｐ、５Ｓ、５Ｐｔ）適所、および、それらに対峙するゴルフバッグ３の内周壁適所に、面ファスナーやスナップボタンなどの着脱機構（図示せず）を設けたことにより、ゴルフバッグ３内の所望する位置に各区画筒ユニット５（５１、５４，５５，５６，５７，５８，５９，５Ｐ、５Ｓ、５Ｐｔ）を、確実に固定するよう装着することができ、しかも容易に取り外して、配置を変えや交換をすることができるなど、より各利用者のニーズに応じた自由度の高い収納性を達成可能としたものとなる。
【００３９】
そして、各区画筒ユニット５（５１、５４，５５，５６，５７，５８，５９，５Ｐ、５Ｓ、５Ｐｔ）の間仕切り４０，４０，……の適所に、各ゴルフクラブ２（Ｗ１，Ｗ４，Ｆ５，〜Ｆ９，Ｐ，Ｓ，Ｐｔ）の番号や記号、色分けなどの識別表示部（図示せず）を設けたものとすることにより、例えば、パターＰｔを誤って１番ウッドＷ１用の区画筒ユニット５（５１）に収納してしまい、異常な収納外観を呈してしまうことを未然に防止することができ、１番ウッドＷ１、４番ウッドＷ４、５ないし９番アイアンＦ５，〜Ｆ９、ピッチングウェッジＰおよびサンドウェッジＳｗおよびパターＰを、より簡単・迅速且つ正確に、対応する各区画筒ユニット５（５１、５４，５５，５６，５７，５８，５９，５Ｐ、５Ｓ、５Ｐｔ）に収納することができるものとなる。
【００４０】
（結  び）
叙述の如く、この発明のゴルフクラブ群、ゴルフバッグおよびそれらを組み合わせたゴルフクラブセットは、その新規な構成によって所期の目的を遍く達成可能とするものであり、しかも製造も容易で、従前からのゴルフクラブ技術に比較して、ゴルフビギナーの誰にとっても難しいゴルフクラブ選びを、より明快且つ単純化して即座に品定めできるものとする上、製造工程を簡素化すると共に、軽量且つ低廉化して遥かに経済的なものとすることができ、同じ長さのゴルフクラブの収納時の違和感を解消し、外観を気にせず、快適にプレーすることができるものとなるから、スポーツ用品業界およびゴルフクラブ業界はもとより、これまで長さの異なるゴルフクラブに翻弄されてきた初心者、および、初心者を指導するティーチングプロにおいても高く評価され、広範に渡って利用、普及していくものになると予想される。                                                                                              
【符号の説明】
【００４１】
１      ゴルフクラブ群
２      ゴルフクラブ
２０    同  シャフト
２１    同  ヘッド
２２    同  ソール面
２３    同  グリップ
Ｌ      クラブ長寸法
Ｗ      ウッド
Ｗ１    同  １番ウッド
Ｗ４    同  ４番ウッド
Ｆ      アイアン
Ｆ５    同  ５番アイアン
Ｆ６    同  ６番アイアン
Ｆ７    同  ７番アイアン
Ｆ８    同  ８番アイアン
Ｆ９    同  ９番アイアン
Ｐ      ピッチングウェッジ
Ｓ      サンドウェッジ
Ｐｔ      パター
ＨＬ      水平面
α      ６０°面
Ｃ      交点
３      ゴルフバッグ
３０    同  バッグ本体
３１    同  開口
３２    同  底部
Ｄ    同  開口から底部までの深さ寸法
４      収納区画
４０    同  間仕切り
４１    同  底上げ部
Ｈ１      １番ウッド用の嵩上げ上下寸法
Ｈ４      ４番ウッド用の嵩上げ上下寸法
Ｈ５      ５番アイアン用の嵩上げ上下寸法
Ｈ６      ６番アイアン用の嵩上げ上下寸法
Ｈ７      ７番アイアン用の嵩上げ上下寸法
Ｈ８      ８番アイアン用の嵩上げ上下寸法
Ｈ９      ９番アイアン用の嵩上げ上下寸法
ＨＰ      ピッチングウェッジ用の嵩上げ上下寸法
ＣＨ      ５番アイアン〜ピッチングウェッジ用の嵩上げ上下刻み寸法
ＳＬ１      １番ウッドの収納外観上の長さ寸法
ＳＬ４      ４番ウッドの収納外観上の長さ寸法
ＳＬ５      ５番アイアンの収納外観上の長さ寸法
ＳＬ６      ６番アイアンの収納外観上の長さ寸法
ＳＬ７      ７番アイアンの収納外観上の長さ寸法
ＳＬ８      ８番アイアンの収納外観上の長さ寸法
ＳＬ９      ９番アイアンの収納外観上の長さ寸法
５      区画筒ユニット
５１    同  １番ウッド用の区画筒ユニット
５４    同  ４番ウッド用の区画筒ユニット
５５    同  ５番アイアン用の区画筒ユニット
５６    同  ６番アイアン用の区画筒ユニット
５７    同  ７番アイアン用の区画筒ユニット
５８    同  ８番アイアン用の区画筒ユニット
５９    同  ９番アイアン用の区画筒ユニット
５Ｐ    同  ピッチングウェッジ用の区画筒ユニット
５Ｓ    同  サンドウェッジ用の区画筒ユニット
５Ｐｔ    同  パター用の区画筒ユニット
６      ゴルフクラブセット                                                                                              
【要約】
【課題】  パターを除く全てのゴルフクラブを、同じスイングで打つことができ、しかもゴルフバッグやキャディバッグに収納した外観を、一般的なゴルフクラブセットと変わらない自然なものとすることができる新たなゴルフクラブ技術を提供する。
【解決手段】  ウッドＷ１，Ｗ４、アイアンＦ５，〜Ｆ９を有し、パターＰｔを除く全てのクラブ長寸法Ｌを同一に設定してなるゴルフクラブ群１を、有底筒型バッグ本体３０を有し、開口３１から底部３２付近まで、複数本のゴルフクラブ２（Ｗ１，Ｗ４，Ｆ５，〜Ｆ９）を個別収容する収納区画４，４，……を形成し、個々の嵩上げ上下寸法Ｈ１（Ｈ４，Ｈ５，〜Ｈ９、ＨＰ）に設定した底上げ部４１を設けてなるゴルフバッグ３に収納するよう組み合わせてなるものとしたゴルフクラブセット６である。
【選択図】    図１【図１】
0005813195.tif 000002
【図２】
0005813195.tif 000003
【図３】
0005813195.tif 000004
【図４】
0005813195.tif 000005
【図５】
0005813195.tif 000006
【図６】
0005813195.tif 000007